(57)【要約】【課題】マルチパスの状態が変動するような環境においても、最適な位置にＦＦＴウィンドウを制御し、復調された信号の品質を向上する。【解決手段】ＯＦＤＭ受信装置は、受信したＯＦＤＭ信号の１つのＯＦＤＭシンボルから有効シンボル期間分の演算範囲を特定し、特定した演算範囲をフーリエ変換して情報を復調するＦＦＴ演算回路７と、受信されたＯＦＤＭ信号からメインパスを検出し、検出したメインパスのシンボル境界位置に基づき演算範囲を制御するシンボル同期回路９とを備えている。シンボル同期回路９は、ＳＰ信号から伝送路特性を算出し、算出した伝送路特性からＯＦＤＭ信号の複数のパスを検出し、検出したパスのうち信号強度の大きいｎ個のパスを選択し、選択したｎ個のパスのうち、前回のメインパスから最も時間が近いパスをメインパスとする。【選択図】図１
2006074403.tif 000002
【特許請求の範囲】
【請求項１】
直交周波数分割多重（ＯＦＤＭ）信号を復調するＯＦＤＭ復調装置において、
マルチパス環境下の伝送路を介して上記ＯＦＤＭ信号が入力され、入力されたＯＦＤＭ信号の１つの伝送シンボルから有効シンボル期間分の演算範囲を特定し、特定した演算範囲をフーリエ変換して情報を復調するフーリエ変換手段と、
入力されたＯＦＤＭ信号のうちのメインパスを検出し、検出したメインパスのシンボル境界位置に基づき上記演算範囲を制御する同期制御手段とを備え、
上記同期制御手段は、入力されたＯＦＤＭ信号に含まれているパスを検出し、
検出したパスのうち、信号強度の大きいｎ個（ｎは２以上の整数）のパスを選択し、
選択したｎ個のパスのうち、前回のメインパスから最も時間が近いパスをメインパスとすること
を特徴とするＯＦＤＭ復調装置。
【請求項２】
上記同期制御手段は、検出したパスの信号強度に、前回のメインパスからの時間差が大きくなるほど値が小さくなるようなオフセットを与え、
オフセットを与えた後の信号強度の大きいｎ個のパスを選択すること
を特徴とする請求項１記載のＯＦＤＭ復調装置。
【請求項３】
直交周波数分割多重（ＯＦＤＭ）信号を復調するＯＦＤＭ復調装置において、
マルチパス環境下の伝送路を介して上記ＯＦＤＭ信号が入力され、入力されたＯＦＤＭ信号の１つの伝送シンボルから有効シンボル期間分の演算範囲を特定し、特定した演算範囲をフーリエ変換して情報を復調するフーリエ変換手段と、
入力されたＯＦＤＭ信号のうちのメインパスを検出し、検出したメインパスのシンボル境界位置に基づき上記演算範囲を制御する同期制御手段とを備え、
上記同期制御手段は、入力されたＯＦＤＭ信号のパスを検出し、
検出したパスのうち、前回のメインパスから所定時間の範囲に存在するパスを選択し、
選択したパスのうち、最も信号強度の大きいパスをメインパスとすること
を特徴とするＯＦＤＭ復調装置。
【請求項４】
上記同期制御手段は、前回のメインパスから所定時間の範囲に存在するパスの信号強度に、前回のメインパスからの時間差が大きくなるほど値が小さくなるようなオフセットを与え、
オフセットを与えた後の信号強度の最も大きいパスをメインパスとすること
を特徴とする請求項３記載のＯＦＤＭ復調装置。
【請求項５】
マルチパス環境下の伝送路を介して直交周波数分割多重（ＯＦＤＭ）信号が入力され、入力されたＯＦＤＭ信号の有効シンボル期間分の演算範囲を特定し、特定した演算範囲をフーリエ変換して情報を復調するＯＦＤＭ復調方法において、
入力されたＯＦＤＭ信号に含まれているパスを検出し、
検出したパスのうち、信号強度の大きいｎ個（ｎは２以上の整数）のパスを選択し、
選択したｎ個のパスのうち、前回のメインパスから最も時間が近いパスをメインパスとし、
上記メインパスのシンボル境界位置を検出し、検出したメインパスのシンボル境界位置に基づき、上記演算範囲を制御すること
を特徴とするＯＦＤＭ復調方法。
【請求項６】
検出したパスの信号強度に、前回のメインパスからの時間差が大きくなるほど値が小さくなるようなオフセットを与え、
オフセットを与えた後の信号強度の大きいｎ個のパスを選択すること
を特徴とする請求項５記載のＯＦＤＭ復調方法。
【請求項７】
マルチパス環境下の伝送路を介して直交周波数分割多重（ＯＦＤＭ）信号が入力され、入力されたＯＦＤＭ信号の有効シンボル期間分の演算範囲を特定し、特定した演算範囲をフーリエ変換して情報を復調するＯＦＤＭ復調方法において、
入力されたＯＦＤＭ信号に含まれているパスを検出し、
検出したパスのうち、前回のメインパスから所定時間の範囲に存在するパスを選択し、
選択したパスのうち、最も信号強度の大きいパスをメインパスとし、
上記メインパスのシンボル境界位置を検出し、検出したメインパスのシンボル境界位置に基づき、上記演算範囲を制御すること
を特徴とするＯＦＤＭ復調方法。
【請求項８】
前回のメインパスから所定時間の範囲に存在するパスの信号強度に、前回のメインパスからの時間差が大きくなるほど値が小さくなるようなオフセットを与え、
オフセットを与えた後の信号強度の最も大きいパスをメインパスとすること
を特徴とする請求項７記載のＯＦＤＭ復調方法。
【発明の詳細な説明】
【技術分野】
【０００１】
本発明は、ＯＦＤＭ（直交周波数分割多重方式）の信号を復調するＯＦＤＭ復調装置及び方法に関するものである。
【背景技術】
【０００２】
近年、デジタル信号を伝送する方式として、直交周波数分割多重方式（ＯＦＤＭ：Orthogonal Frequency Division Multiplexing）と呼ばれる変調方式が提案されている。このＯＦＤＭ方式は、伝送帯域内に多数の直交する副搬送波（サブキャリア）を設け、それぞれのサブキャリアの振幅及び位相にデータを割り当て、ＰＳＫ（Phase Shift Keying）やＱＡＭ（Quadrature Amplitude Modulation）によりデジタル変調する方式である。
【０００３】
ＯＦＤＭ方式は、マルチパス妨害の影響を強く受ける地上波デジタル放送に適用することが広く検討されている。
【０００４】
ＯＦＤＭ方式による送信信号は、図１３に示すように、ＯＦＤＭシンボルと呼ばれるシンボル単位で伝送される。このＯＦＤＭシンボルは、送信時にＩＦＦＴが行われる信号期間である有効シンボルと、この有効シンボルの後半の一部分の波形がそのままコピーされたガードインターバルとから構成されている。このガードインターバルは、ＯＦＤＭシンボルの前半部分に設けられている。ガードインターバルは、例えば、有効シンボルの１／４や１／８の時間長の信号とされている。
【０００５】
このようなＯＦＤＭ信号を受信するＯＦＤＭ受信装置では、ＦＦＴ演算回路によりＦＦＴ演算がされることよって、受信したＯＦＤＭ信号の復調が行われる。ＯＦＤＭ受信装置は、有効シンボルとガードインターバルとから構成されるＯＦＤＭシンボルに対して、ＯＦＤＭシンボルの境界位置を検出し、検出したシンボル境界位置から有効シンボルと同一の長さの演算範囲（ＦＦＴウィンドウ）を定め、このＦＦＴウィンドウにより定められた部分のデータをＯＦＤＭシンボルから特定してＦＦＴ演算を行う。
【０００６】
ところで、地上波放送は、マルチパス環境下の伝送路である。つまり、受信位置の周囲の地形や建物等の周辺環境によって、遅延波による妨害を強く受け、ＯＦＤＭ受信装置により受信された信号は、複数の遅延波が合成された合成波となってしまう。
【０００７】
このように、マルチパス環境下の伝送路では、複数のパスが存在するために複数のシンボル境界が存在することとなるが、通常、放送局からの直接波が最も早く到達するので、この信号を主信号（メインパス）とし、このメインパスのシンボル境界位置に基づきＦＦＴウィンドウ位置を設定することによって、シンボル間干渉が存在しないようにする。
【０００８】
ここで、このＦＦＴ演算位置を定めるＦＦＴウィンドウの位置の設定方法について説明する（特許文献１，２参照。）。
【０００９】
ＦＦＴウィンドウを設定する場合、ＦＦＴ演算される前のＯＦＤＭ信号を遅延させて、ガードインターバル部分の波形とＯＦＤＭシンボルの後半部分の波形（即ち、ガードインターバルのコピー元の信号波形）との相関性を求め、ＯＦＤＭシンボルの境界を求める。この自己相関関数のピーク値が示す時間が、各パスのＯＦＤＭシンボルの境界となり、最も高いピーク値がメインパスのＯＦＤＭシンボル境界となる。
【００１０】
また、他の方法としては、ＯＦＤＭ信号に含まれている特定レベル且つ特定位相の信号（パイロット信号）を抽出し、パイロット信号をＩＦＦＴ変換して、各パスの信号強度を求め、求めた信号強度のうち最も高いパスをメインパスとし、シンボル境界を求める方法もある。
【００１１】
以上のように、最も受信信号強度の高いパスを抽出し、このパスをメインパスとしてシンボル境界を検出することによって、シンボル間干渉がないようにＦＦＴの演算範囲を正確に定める。
【００１２】
【特許文献１】特開２００２−３６８７１７号公報
【特許文献２】特開２００１−２９２１２５号公報
【発明の開示】
【発明が解決しようとする課題】
【００１３】
ところが、移動受信をしている場合、周囲の地形や建物等の周辺環境が頻繁に変動するので、受信信号のマルチパスの状態も頻繁に変動する。
【００１４】
このため、放送局からの直接波の信号強度が瞬時的に小さくなったり、遅延波の信号強度が瞬時的に大きくなったりする場合がある。このような場合、瞬時的にメインパスの検出誤りが発生し、ＦＦＴウィンドウの開始点が瞬時的に大幅に変動することとなり、再生不良となる。
【００１５】
本発明は、このような事情に鑑みてなされたものであり、マルチパスの状態が変動するような環境においても、最適な位置にＦＦＴウィンドウを制御し、復調された信号の品質を向上するＯＦＤＭ信号復調装置及び復調方法を提供することを目的とする。
【課題を解決するための手段】
【００１６】
本発明に係るＯＦＤＭ復調装置は、直交周波数分割多重（ＯＦＤＭ）信号を復調するＯＦＤＭ復調装置において、マルチパス環境下の伝送路を介して上記ＯＦＤＭ信号が入力され、入力されたＯＦＤＭ信号の１つの伝送シンボルから有効シンボル期間分の演算範囲を特定し、特定した演算範囲をフーリエ変換して情報を復調するフーリエ変換手段と、入力されたＯＦＤＭ信号のうちのメインパスを検出し、検出したメインパスのシンボル境界位置に基づき上記演算範囲を制御する同期制御手段とを備え、上記同期制御手段は、入力されたＯＦＤＭ信号に含まれているパスを検出し、検出したパスのうち、信号強度の大きいｎ個（ｎは２以上の整数）のパスを選択し、選択したｎ個のパスのうち、前回のメインパスから最も時間が近いパスをメインパスとすることを特徴とする。
【００１７】
本発明に係るＯＦＤＭ復調装置は、直交周波数分割多重（ＯＦＤＭ）信号を復調するＯＦＤＭ復調装置において、マルチパス環境下の伝送路を介して上記ＯＦＤＭ信号が入力され、入力されたＯＦＤＭ信号の１つの伝送シンボルから有効シンボル期間分の演算範囲を特定し、特定した演算範囲をフーリエ変換して情報を復調するフーリエ変換手段と、入力されたＯＦＤＭ信号のうちのメインパスを検出し、検出したメインパスのシンボル境界位置に基づき上記演算範囲を制御する同期制御手段とを備え、上記同期制御手段は、入力されたＯＦＤＭ信号のパスを検出し、検出したパスのうち、前回のメインパスから所定時間の範囲に存在するパスを選択し、選択したパスのうち、最も信号強度の大きいパスをメインパスとする。
【００１８】
本発明に係るＯＦＤＭ復調方法は、マルチパス環境下の伝送路を介して直交周波数分割多重（ＯＦＤＭ）信号が入力され、入力されたＯＦＤＭ信号の有効シンボル期間分の演算範囲を特定し、特定した演算範囲をフーリエ変換して情報を復調するＯＦＤＭ復調方法において、入力されたＯＦＤＭ信号に含まれているパスを検出し、検出したパスのうち、信号強度の大きいｎ個（ｎは２以上の整数）のパスを選択し、選択したｎ個のパスのうち、前回のメインパスから最も時間が近いパスをメインパスとし、上記メインパスのシンボル境界位置を検出し、検出したメインパスのシンボル境界位置に基づき、上記演算範囲を制御することを特徴とする。
【００１９】
本発明に係るＯＦＤＭ復調方法は、マルチパス環境下の伝送路を介して直交周波数分割多重（ＯＦＤＭ）信号が入力され、入力されたＯＦＤＭ信号の有効シンボル期間分の演算範囲を特定し、特定した演算範囲をフーリエ変換して情報を復調するＯＦＤＭ復調方法において、入力されたＯＦＤＭ信号に含まれているパスを検出し、検出したパスのうち、前回のメインパスから所定時間の範囲に存在するパスを選択し、選択したパスのうち、最も信号強度の大きいパスをメインパスとし、上記メインパスのシンボル境界位置を検出し、検出したメインパスのシンボル境界位置に基づき、上記演算範囲を制御する。
【発明の効果】
【００２０】
本発明に係るＯＦＤＭ復調装置及び方法では、信号強度の大きいｎ個（ｎは２以上の整数）のパスを選択し、選択したｎ個のパスのうち前回のメインパスから最も時間が近いパスをメインパスとしてシンボル境界位置を検出し、検出したメインパスのシンボル境界位置に基づき、フーリエ変換の演算範囲を設定する。
【００２１】
本発明に係るＯＦＤＭ復調装置及び方法では、ＯＦＤＭ信号に含まれているパスを検出し、検出したパスのうち前回のメインパスから所定時間の範囲に存在するパスを選択し、選択したパスのうち最も信号強度の大きいパスをメインパスとしてシンボル境界位置を検出し、検出したメインパスのシンボル境界位置に基づき、フーリエ変換の演算範囲を設定する。
【発明を実施するための最良の形態】
【００２２】
以下、本発明が適用されたＯＦＤＭ受信装置について説明する。
【００２３】
ＯＦＤＭ受信装置１は、図１に示すように、アンテナ２と、チューナ３と、バンドパスフィルタ（ＢＰＦ）４と、Ａ/Ｄ変換回路５と、デジタル直交復調回路６と、ＦＦＴ演算回路７と、パイロット位置検出回路８と、シンボル同期回路９と、等化回路１０と、伝送路復号回路１１とを備えている。
【００２４】
放送局から放送されたデジタル放送の放送波は、ＯＦＤＭ受信装置１のアンテナ２により受信され、ＲＦ信号としてチューナ３に供給される。受信されたＲＦ信号は、乗算器及び局部発振器からなるチューナ３によりＩＦ信号に周波数変換され、ＢＰＦ４に供給される。チューナ３から出力されたＩＦ信号は、ＢＰＦ４によりフィルタリングされた後、Ａ/Ｄ変換回路５によりデジタル化される。デジタル化されたＩＦ信号は、デジタル直交復調回路６に供給される。
【００２５】
デジタル直交復調回路６は、所定の周波数（キャリア周波数）のキャリア信号を用いて、デジタル化されたＩＦ信号を直交復調し、ベースバンドのＯＦＤＭ信号を出力する。ベースバンドのＯＦＤＭ信号は、直交復調された結果、実軸成分（Ｉチャネル信号）と、虚軸成分（Ｑチャネル信号）とから構成される複素信号となる。デジタル直交復調回路６から出力されるベースバンドのＯＦＤＭ信号は、ＦＦＴ演算回路７及びシンボル同期回路９に供給される。
【００２６】
ＦＦＴ演算回路７は、ベースバンドのＯＦＤＭ信号に対してＦＦＴ演算を行い、各サブキャリアに直交変調されている信号を抽出して出力する。
【００２７】
ＦＦＴ演算回路７は、１つのＯＦＤＭシンボルから有効シンボル長分の信号を抜き出し、抜き出した信号に対してＦＦＴ演算を行う。すなわち、ＦＦＴ演算回路７は、１つのＯＦＤＭシンボルからガードインターバル長分の信号を除き、残った信号に対してＦＦＴ演算を行う。ＦＦＴ演算を行うために抜き出される信号の範囲は、その抜き出した信号点が連続していれば、１つのＯＦＤＭシンボルの任意の位置でよい。つまり、その抜き出す信号の範囲の開始位置は、ＯＦＤＭシンボルの先頭の境界位置から、ガードインターバルの終了位置までの間のいずれかの位置となる。ＦＦＴ演算回路７により抽出された信号は、パイロット位置検出回路８、シンボル同期回路９及び等化回路１０に供給される。
【００２８】
パイロット位置検出回路８は、ＦＦＴ演算回路７により復調された信号に基づき伝送フレームの境界を抽出する。伝送フレームは、所定数のＯＦＤＭシンボルから構成された伝送単位である。パイロット位置検出回路８は、伝送フレーム内の所定の位置に含まれているスキャッタードパイロット信号（ＳＰ信号）の挿入位置を特定する。ＯＦＤＭ信号には、所定の振幅及び所定の位相のＳＰ信号が、ＯＦＤＭシンボル内の特定の位置に散在されている。パイロット位置検出回路８は、伝送フレームのタイミングを検出することにより、ＳＰ信号の挿入位置を検出する。パイロット位置検出回路８は、検出したＳＰ信号の位置情報を、等化回路１０及びシンボル同期回路９に供給する。
【００２９】
シンボル同期回路９は、デジタル直交復調回路６から出力されたベースバンドのＯＦＤＭ信号のうち、主信号（メインパス）のシンボル境界を算出し、検出したシンボル境界位置に基づきＦＦＴ演算回路７に対してＦＦＴ演算範囲を特定する。シンボル同期回路９は、ベースバンドのＯＦＤＭ信号、ＦＦＴ演算回路７により復調された後の各サブキャリアに変調されていた信号、及び、ＳＰ信号を用いて、メインパスのシンボル境界を算出する。シンボル同期回路９は、ＦＦＴ演算範囲に基づき演算開始タイミングを示すトリガーを生成し、生成したトリガーをＦＦＴ演算回路７に供給する。
【００３０】
等化回路１０は、ＳＰ信号を用いて、ＦＦＴ演算回路７から出力された信号に対して、位相等化及び振幅等化を行う。等化回路１０は、このＳＰ信号を抽出して、このＳＰ信号のひずみ量を算出し、波形等化を行っている。波形等化が行われた信号は、伝送路復号回路１１に供給される。
【００３１】
伝送路復号回路１１は、等化回路１０により波形等化がされた信号に対して、キャリア復調、周波数デインタリーブ、デマッピング、ビタビ復号、誤り訂正処理等を行い、トランスポートストリームを出力する。
【００３２】
以上のようなＯＦＤＭ受信装置１では、デジタル地上放送として放送されたＯＦＤＭ信号を受信及び復調し、復調した信号を伝送路復号をして、例えば音声や映像信号が含まれているトランスポートストリームを出力することができる。
【００３３】
つぎに、シンボル同期回路９について説明をする。
【００３４】
シンボル同期回路９は、図１３に示したように、ＯＦＤＭシンボルの境界位置を検出し、検出したシンボル境界位置から有効シンボルと同一の長さの演算範囲（ＦＦＴウィンドウ）を特定し、ＦＦＴウィンドウの開始タイミングを示すトリガーを生成するものである。ただし、マルチパス環境下の伝送路では、入力されたＯＦＤＭ信号は、多数のパスを経由したＯＦＤＭ信号が合成されており、シンボル境界が多数存在することとなる。そのため、シンボル同期回路９では、多数のパスのＯＦＤＭ信号から、例えば放送局からの直接波等の最も安定したパスの信号（以下、メインパス）を推定し、推定したメインパスのシンボル境界に基づきＦＦＴウィンドウを設定している。
【００３５】
図２に、シンボル同期回路９の構成図を示す。
【００３６】
シンボル同期回路９は、図２に示すように、ＦＦＴ演算前のベースバンドのＯＦＤＭ信号を用いて大まかなシンボル同期のタイミングを生成する第１の同期検出回路２１と、ＦＦＴ演算した後の信号から検出されたＳＰ信号を用いて細かいシンボル同期のタイミングを生成する第２の同期検出回路２２と、第１の同期検出回路２１により検出されたタイミング又は第２の同期検出回路２２により検出されたタイミングに基づき、ＦＦＴウィンドウのトリガーを生成するトリガー生成回路２３とを備えている。
【００３７】
シンボル同期回路９では、受信開始時には、まず、第１の同期検出回路２１でラフなＦＦＴウィンドウのトリガーを生成する。つまり、受信開始時には、ラフなシンボル同期でＯＦＤＭ信号の復調が行われる。ラフなＦＦＴウィンドウのトリガーによりシンボルの同期処理を行って一定時間継続すると、シンボル同期回路９では、第２の同期検出回路２２を用いてＦＦＴウィンドウのトリガーを生成する。つまり、ある程度、ラフな同期が確立したのちに、より正確なシンボル同期が行われ、安定した再生状態となる。
【００３８】
以下、第１の同期検出回路２１及び第２の同期検出回路２２について説明をする。
【００３９】
まず、第１の同期検出回路２１について説明をする。
【００４０】
図３に、第１の同期検出回路２１の回路構成を示す。
【００４１】
第１の同期検出回路２１は、図３に示すように、遅延回路３１と、相関回路３２と、移動平均回路３３と、積分回路３４と、ピーク検出回路３５とを備えている。
【００４２】
デジタル直交復調回路６から出力されたベースバンドのＯＦＤＭ信号（図４（Ａ））は、遅延回路３１及び相関回路３２に供給される。遅延回路３１は、入力されたベースバンドのＯＦＤＭ信号を有効シンボル時間分遅延させる。遅延回路３１により有効シンボル時間分遅延されたベースバンドのＯＦＤＭ信号（図４（（Ｂ））は、相関回路３２に入力される。
【００４３】
相関回路３２は、有効シンボル期間分遅延されたベースバンドのＯＦＤＭ信号の複素共役を算出し、遅延されていないベースバンドのＯＦＤＭ信号と、有効シンボル期間分遅延されたベースバンドのＯＦＤＭ信号の複素共役信号とを、１サンプル毎に乗算する。乗算結果は、移動平均回路３３に供給される。
【００４４】
移動平均回路３３は、例えば、ガードインターバル長分のレジスタ群から構成されるシフトレジスタと、各レジスタに格納されている値の平均を演算する加算器とから構成され、１サンプル毎に順次入力されてきた乗算結果に対して、ガードインターバル分のサンプル毎の移動平均演算を行う。移動平均回路３３により移動平均された値は、積分回路３４に入力される。積分回路３４は、入力された移動平均値を積分する。積分回路３４から出力される値が、ベースバンドのＯＦＤＭ信号と、有効シンボル分の遅延がされたベースバンドのＯＦＤＭ信号との相関を示した相関信号（図４（Ｃ））となる。
【００４５】
ピーク検出回路３５は、相関信号のピーク値を検出し、そのピークタイミングにハイとなるパルス（ラフなＦＦＴトリガー  図４（Ｄ））を発生する。
【００４６】
第１の同期検出回路２１は、以上のように、フィードフォワード制御によりシンボル同期タイミングを生成する。トリガー生成回路２３は、受信開始時には、この第１の同期検出回路２１から発生されたトリガーを、ＦＦＴ演算回路７に供給する。
【００４７】
つぎに、第２の同期検出回路２２について説明をする。
【００４８】
図５に、第２の同期検出回路２２に回路構成を示す。
【００４９】
第２の同期検出回路２２は、図５に示すように、パイロット抽出回路４１と、ＩＦＦＴ回路４２と、信号強度算出回路４３と、メインパス選択回路４４とを備えている。
【００５０】
パイロット抽出回路４１には、ＦＦＴ演算回路７によりＦＦＴ演算がされた後の信号が入力される。パイロット抽出回路４１は、ＳＰ信号の挿入位置に基づき、ＦＦＴ演算がされた後の信号からＳＰ信号のみを抽出する。パイロット抽出回路４１により抽出されたＳＰ信号は、ＩＦＦＴ演算回路４２に供給される。
【００５１】
ＩＦＦＴ演算回路４２は、ＳＰ信号を逆ＦＦＴ変換して、ＳＰ信号のみから構成されたベースバンドＯＦＤＭ信号を生成する。ＳＰ信号を利用して構成されるベースバンドのＯＦＤＭ信号は、信号強度算出回路４３に供給される。
【００５２】
信号強度算出回路４３は、ＳＰ信号のみから構成されるベースバンドのＯＦＤＭ信号に対してフィルタ演算を行い、伝送路特性を算出する。具体的には、多数の遅延波が合成された受信信号における、各パスの遅延時間及び信号強度を算出する。ＳＰ信号が振幅及び位相が予め既知の信号であるため、このような伝送路特性を算出することができる。信号強度算出回路４３は、各パスの遅延時間を、例えば、図６に示すように、現在のＦＦＴウィンドウの設定位置と各パスとの時間差（すなわち、現在のメインパスとして設定しているパスと、その他のパスとの時間差）で表す。信号強度算出回路４３により算出された各パスの遅延時間及び信号強度は、メインパス選択回路４４に供給される。
【００５３】
メインパス選択回路４４は、信号強度算出回路４３により検出された各パスの遅延時間及び信号強度に基づき、複数のパスの中から１つのメインパスを選択する。メインパス選択回路４４は、メインパスを選択すると、選択したメインパスと現在のメインパスとの時間差を求め、その時間差に応じた補正量を算出する。算出された補正量は、トリガー生成回路２３に入力される。
【００５４】
トリガー生成回路２３は、以上の第２の同期検出回路２２から補正量が入力されると、現在設定がされているトリガーの発生タイミングを補正をし、次から補正したタイミングでトリガーを発生する。
【００５５】
このように第２の同期検出回路２２では、現在設定されているＦＦＴウィンドウのタイミングと、受信信号のメインパスとの時間差を求め、その時間差分だけＦＦＴウィンドウを補正している。このため、シンボル同期回路９では、メインパスが変動しても、メインパスに追従したＦＦＴウィンドウのタイミングを生成することができるので、常に正しいＦＦＴ演算を行うことが可能となる。
【００５６】
つぎに、メインパス選択回路４４によるメインパスの選択方法について、図７のフローチャートを参照して説明をする。
【００５７】
まず、メインパス選択回路４４は、信号強度算出回路４３により算出された各サンプルの信号強度及び遅延時間を取得する（ステップＳ１１）。続いて、取得した各サンプルのうち、一つのサンプルを選択する（ステップＳ１２）。続いて、選択したサンプルの信号強度及び遅延時間に対して、所定数のＯＦＤＭシンボル分の移動平均を演算する（ステップＳ１３）。
【００５８】
続いて、メインパス選択回路４４は、選択したサンプルの信号強度が、所定数の候補パス（Ａ〜Ｅ）のうちの最低強度のパス（候補パスＥ）の信号強度よりも大きいか否かを判断する（ステップＳ１４）。
【００５９】
メインパス選択回路４４は、選択したサンプルの信号強度の方が大きければ、最低強度であった候補パス（候補パスＥ）を候補パスから外し、当該選択したサンプルを候補パスに含める。これととともにメインパス選択回路４４は、信号強度が大きい順に所定数の候補パス（Ａ〜Ｅ）の並べ替えを行う（ステップＳ１５）。選択したパスの信号強度の方が小さければ、メインパス選択回路４４は、なんら処理を行わない。
【００６０】
続いて、メインパス選択回路４４は、全てのサンプルに対してステップＳ１２〜Ｓ１４の処理が完了したか否かを判断する（ステップＳ１６）。全てのパスについて処理を行っていない場合には、ステップＳ１２に戻り、他のサンプルについてステップＳ１２からの処理を行う。
【００６１】
全てのサンプルに対してステップＳ１２〜Ｓ１４の処理が完了すると、信号強度が大きい順に所定数（例えば５個）のパスが候補パスとして選択される。
【００６２】
全てのサンプルに対してステップＳ１２〜Ｓ１４の処理が完了したと判断した場合には、メインパス選択回路４４は、所定数の候補パス（候補パスＡ〜Ｅ）の遅延時間を参照し、所定の候補パスの中から前回のメインパスに時間的に最も近い（遅延時間の絶対値が最も小さい）パスを特定する（ステップＳ１７）。
【００６３】
メインパス選択回路４４は、ステップＳ１７で特定したパスをメインパスと選択する。
【００６４】
そして、メインパス選択回路４４は、以上のように選択されたメインパスの遅延時間に基づき、前回のＦＦＴウィンドウのトリガーのタイミングを補正するための補正値を算出する。
【００６５】
すなわち、メインパス選択回路４４では、図８に示すように、受信したＯＦＤＭ信号に含まれているパスのうち、信号強度の大きいｎ個（ｎは２以上の整数）のパスを選択し、選択したｎ個のパスのうち、前回のメインパスから最も時間が近いパスをメインパスとしている。
【００６６】
このため、ＯＦＤＭ受信装置１では、例えば、放送局からの直接波の信号強度が瞬時的に小さくなったり、遅延波の信号強度が瞬時的に大きくなったりする場合であっても、メインパスの判断を誤らずに、安定的に受信を継続することができる。
【００６７】
つぎに、メインパス選択回路４４によるメインパスの選択の他の方法（第２の方法）について、図９のフローチャートを参照して説明をする。
【００６８】
まず、メインパス選択回路４４は、信号強度算出回路４３により算出された各サンプルの信号強度及び遅延時間を取得する（ステップＳ２１）。
【００６９】
続いて、取得した各サンプルのうち、一つのサンプルを選択する（ステップＳ２２）。続いて、選択したサンプルの遅延時間が、前回のメインパスから所定の時間差内に入っているか否かを判断する（ステップＳ２３）。判断の結果、範囲外であれば、ステップＳ２４からステップＳ２６の処理は行わず、直接ステップＳ２７に進む。範囲内であれば、ステップＳ２４に進む。
【００７０】
続いて、メインパス選択回路４４は、選択したサンプルの信号強度及び遅延時間に対して、所定数のＯＦＤＭシンボル分の移動平均を演算する（ステップＳ２４）。
【００７１】
続いて、メインパス選択回路４４は、選択したサンプルの信号強度が、候補パス（Ａ）の信号強度よりも大きいか否かを判断する（ステップＳ２５）。
【００７２】
メインパス選択回路４４は、候補パスＡより選択したサンプルの信号強度の方が大きければ、当該選択したパスを候補パスとする（ステップＳ２６）。選択したサンプルの信号強度の方が小さければ、メインパス選択回路４４は、なんら処理を行わない。
【００７３】
続いて、メインパス選択回路４４は、全てのサンプルに対してステップＳ２２〜Ｓ２６の処理が完了したか否かを判断する（ステップＳ２７）。全てのサンプルについて処理を行っていない場合には、ステップＳ２２に戻り、他のサンプルについてステップＳ２２からの処理を行う。
【００７４】
全てのサンプルに対してステップＳ２２〜Ｓ２６の処理が完了したと判断した場合には、メインパス選択回路４４は、候補パス（候補パスＡ）をメインパスとして選択する（Ｓ２８）。
【００７５】
そして、メインパス選択回路４４は、以上のように選択されたメインパスの遅延時間に基づき、前回のＦＦＴウィンドウのトリガーのタイミングを補正するための補正値を算出する。
【００７６】
すなわち、メインパス選択回路４４では、図１０に示すように、受信したＯＦＤＭ信号に含まれているパスのうち、前回のメインパスから所定の時間範囲内に存在するパスを選択し、選択したパスのうち、最も信号強度の大きいパスをメインパスとしている。
【００７７】
このため、ＯＦＤＭ受信装置１では、例えば、放送局からの直接波の信号強度が瞬時的に小さくなったり、遅延波の信号強度が瞬時的に大きくなったりする場合であっても、メインパスの判断を誤らずに、安定的に受信を継続することができる。
【００７８】
つぎに、メインパス選択回路４４によるメインパスの選択のさらに他の方法（第３の方法）について、図１１のフローチャートを参照して説明をする。
【００７９】
まず、メインパス選択回路４４は、信号強度算出回路４３により算出された各サンプルの信号強度及び遅延時間を取得する（ステップＳ３１）。
【００８０】
続いて、取得した各サンプルのうち、一つのサンプルを選択する（ステップＳ３２）。続いて、  続いて、メインパス選択回路４４は、選択したサンプルの信号強度及び遅延時間に対して、所定数のＯＦＤＭシンボル分の移動平均を演算する（ステップＳ３３）。
【００８１】
続いて、メインパス選択回路４４は、選択したパスの信号強度に対して、オフセットを加える（ステップＳ３４）。
【００８２】
ここで、オフセットは、遅延時間が大きくなるに従い、すなわち、前回のメインパスからの時間差が大きくなるに従い、小さくなるような値とされている。つまり、前回のメインパスに近ければ近いほど、オフセットは大きくなる。
【００８３】
続いて、メインパス選択回路４４は、オフセットが加算された後の選択したサンプルの信号強度が、１つの候補パス（Ａ）の信号強度よりも大きいか否かを判断する（ステップＳ３５）。
【００８４】
メインパス選択回路４４は、候補パス（Ａ）よりも選択したサンプルの信号強度の方が大きければ、その選択したサンプルを候補パスとする（ステップＳ３６）。選択したサンプルの信号強度の方が小さければ、メインパス選択回路４４は、なんら処理を行わない。
【００８５】
続いて、メインパス選択回路４４は、全てのサンプルに対してステップＳ３２〜Ｓ３６の処理が完了したか否かを判断する（ステップＳ３７）。全てのサンプルについて処理を行っていない場合には、ステップＳ３２に戻り、他のサンプルについてステップＳ３２からの処理を行う。
【００８６】
全てのサンプルに対してステップＳ３２〜Ｓ３６の処理が完了したと判断した場合には、メインパス選択回路４４は、候補パスＡを、メインパスとして選択する（Ｓ３８）。
【００８７】
そして、メインパス選択回路４４は、以上のように選択されたメインパスの遅延時間に基づき、前回のＦＦＴウィンドウのトリガーのタイミングを補正するための補正値を算出する。
【００８８】
すなわち、メインパス選択回路４４では、図１２に示すように、受信したＯＦＤＭ信号に含まれているパスに対して、前回のメインパスからの時間差が大きくなるに従って小さくなるようなオフセットを加え、オフセットにより補正した後の信号強度の大きいパスをメインパスとしている。
【００８９】
このため、ＯＦＤＭ受信装置１では、例えば、放送局からの直接波の信号強度が瞬時的に小さくなったり、遅延波の信号強度が瞬時的に大きくなったりする場合であっても、メインパスの判断を誤らずに、安定的に受信を継続することができる。
【００９０】
なお、図１１に示した第３の方法と、前述した第１の方法又は第２の方法とを組み合わせても良い。つまり、第１の方法又は第２の方法において、信号強度をオフセットで補正してもよい。
【図面の簡単な説明】
【００９１】
【図１】本発明が適用されたＯＦＤＭ受信装置のブロック図である。
【図２】上記ＯＦＤＭ受信装置内のシンボル同期回路のブロック図である。
【図３】シンボル同期回路内の第１の同期検出回路のブロック図である。
【図４】第１の同期検出回路で処理されている信号を表した図である。
【図５】シンボル同期回路内の第２の同期検出回路のブロック図である。
【図６】第２の同期検出回路で検出された伝送路のパスの遅延時間及び信号強度を示す図である。
【図７】メインパスの選択方法のうちの第１の方法の処理手順を示すフローチャートである。
【図８】上記第１の方法の処理内容を説明するための図である。
【図９】メインパスの選択方法のうちの第２の方法の処理手順を示すフローチャートである。
【図１０】上記第２の方法の処理内容を説明するための図である。
【図１１】メインパスの選択方法のうちの第３の方法の処理手順を示すフローチャートである。
【図１２】上記第３の方法の処理内容を説明するための図である。
【図１３】ＯＦＤＭ信号、ＯＦＤＭシンボル、有効シンボル、ガードインターバル及びＦＦＴウィンドウを示した図である。
【符号の説明】
【００９２】
１  ＯＦＤＭ受信装置、６  デジタル直交復調、７  ＦＦＴ演算回路、８  パイロット位置検出回路、９  シンボル同期回路、２１  第１の同期検出回路、２２  第２の同期検出回路、２３  トリガー生成回路
【図１】
2006074403.tif 000003
【図２】
2006074403.tif 000004
【図３】
2006074403.tif 000005
【図４】
2006074403.tif 000006
【図５】
2006074403.tif 000007
【図６】
2006074403.tif 000008
【図７】
2006074403.tif 000009
【図８】
2006074403.tif 000010
【図９】
2006074403.tif 000011
【図１０】
2006074403.tif 000012
【図１１】
2006074403.tif 000013
【図１２】
2006074403.tif 000014
【図１３】
2006074403.tif 000015